(57)【要約】【課題】目的は、フィルタ部材の強度を確保しつつ、フィルタ有効面積を増加可能な循環アダプタのフィルタ構造を提供することである。【解決手段】内環部８７と外筒部８８とによって囲まれる円環開口部９１内に、軸心方向で内環段部８７ｃよりも後方側で且つ内環裏面部８７ａよりも前方側に設置される第１リブ部８９と、吸込端部８３に対向する減速部９０が設置される。メッシュ部８５の正面部８５ａは、内周部裏面を内環段部８７ｃの表面に当接すると共に、外周部裏面を外筒部８８の軸心方向先端部表面に当接するように構成され、第１リブ部８９の前面と正面部８５ａの裏面との間には間隙を形成している。【選択図】  図１６
2010207677.tif 000002
【特許請求の範囲】
【請求項１】
循環アダプタの浴槽側表面に装着されると共に湯水を吸い込み可能な開口部を備えた本体部と、この本体部の開口部を被うフィルタ部とを有する循環アダプタのフィルタ構造において、
前記本体部は、前記開口部内を横断すると共に前記フィルタ部と対向して配置された複数の補強リブを有し、
前記各補強リブと前記フィルタ部との間に間隙を形成したことを特徴とする循環アダプタのフィルタ構造。
【請求項２】
前記循環アダプタは、浴槽側表面領域に形成された湯水の循環経路を変更する操作部と、湯水を吸い込む吸込口とを備え、
前記本体部は、前記操作部周りを囲うように形成された第１開口部と、前記吸込口周りを囲うように形成された第２開口部とを備えると共に、
前記複数の補強リブは、前記第２開口部を被う前記フィルタ部と対向して配置されたことを特徴とする請求項１に記載の循環アダプタのフィルタ構造。
【発明の詳細な説明】
【技術分野】
【０００１】
本発明は、浴槽に湯水を供給するために浴槽に取付けて使用される循環アダプタのフィルタ構造に関し、特に、湯水を吸い込み可能な開口部を被うフィルタ部を備えたフィルタ構造に関するものである。
【背景技術】
【０００２】
従来、浴槽の側壁面に装着されると共に、浴槽と風呂給湯器とを接続し、湯水を浴槽と風呂給湯器との間で強制循環させるための循環アダブタが存在している。この循環アダブタは、浴槽取付金具、浴槽挟着具、通路切替機構、及びフィルタとから構成される。
【０００３】
フィルタは、循環アダブタから吸い込まれる湯水中に混在する毛髪やゴミ等の異物を捕捉する。このフィルタのフィルタ部は、一枚物のステンレス板をプレス成形し、その前面に湯水の異物を捕捉する多数の孔を設けたパンチングメタル構造にすると共に、このメッシュ状のフィルタ部を循環アダブタに着脱可能な筒状のフィルタ本体部に装着した構造とされている。
【０００４】
このような一枚物のステンレス板のフィルタ部では、フィルタ自体の強度確保が難しいため、一般に、フィルタ本体部の前面開口部にフィルタ部に対向当接する補強リブを複数形成している。
【０００５】
特許文献１は、浴槽用給湯循環接続具に着脱可能なフィルタ本体と、フィルタ本体の開口部を被うフィルタ部と、フィルタ部を挟んでフィルタ本体に装着されるフィルタカバーとから構成されるフィルタキャップであって、フィルタカバーの係止凸部がフィルタ本体のスライド溝を摺動して係止可能とする技術を提案している。
【０００６】
特許文献１では、フィルタ本体とフィルタカバーとに夫々前面中央部から外周縁部まで放射状に懸架される複数のリブが設けられ、両者のリブは正面視で重合するように配置している。
【先行技術文献】
【特許文献】
【０００７】
【特許文献１】特開平９−２５３４２５号公報
【発明の概要】
【発明が解決しようとする課題】
【０００８】
フィルタ部が捕捉した異物によって目詰まりすると、見栄え悪化やメインテナンスの必要が生じる上、流路抵抗が増大するため湯水の循環効率が低下することから、浴槽の追焚時間が長くなり、更に、循環湯水流量が基準値を下回った場合には、給湯器側の安全装置が作動して給湯器の作動が停止することもあり得る。
【０００９】
フィルタ部の一部分で目詰まりを生じると、異物が付着していない領域を通過する湯水の流速が増加し、この流速の増加により、湯水通過可能な領域における異物の付着が集中発生するため、流路抵抗が更に増加するという悪循環を招く。
【００１０】
また、複数の運転モードを備えた循環アダプタでは、コンパクトにする必要があることから、レイアウト上、フィルタ部と吸込口との間隔は更に近接配置とされ、フィルタ部を通過する湯水の流速は一層速くなる傾向にある。
【００１１】
フィルタ部の湯水通過可能面積、所謂有効面積を確保するため、フィルタ本体部に形成するリブを廃止することも考えられる。しかしながら、フィルタ部材の強度を確保するには、フィルタ部の板厚を厚くする必要が生じ、プレス加工等生産性やコストの面で新たな問題が生じる。
【００１２】
本発明の目的は、フィルタ部材の強度を確保しつつ、フィルタ有効面積を増加可能な循環アダプタのフィルタ構造を提供することである。
【課題を解決するための手段】
【００１３】
本発明に係る循環アダプタのフィルタ構造は、循環アダプタの浴槽側表面に装着されると共に湯水を吸い込み可能な開口部を備えた本体部と、この本体部の開口部を被うフィルタ部とを有する。
【００１４】
請求項１の発明は、前記本体部は前記開口部内を横断すると共に前記フィルタ部と対向して配置された複数の補強リブを有し、前記各補強リブは前記フィルタ部との間に間隙を形成したことを特徴とする。
【００１５】
請求項１の発明では、本体部の開口部内を横断すると共にフィルタ部と対向する複数の補強リブを有するため、フィルタ強度を確保できる。しかも、各補強リブはフィルタ部との間に間隙を形成したため、湯水が補強部と対向するフィルタ部領域を通過でき、フィルタ有効面積を増加可能となる。
【００１６】
請求項２の発明は、請求項１の発明において、前記循環アダプタは、浴槽側表面領域に形成された湯水の循環経路を変更する操作部と、湯水を吸い込む吸込口とを備え、前記本体部は、前記操作部周りを囲うように形成された第１開口部と、前記吸込口周りを囲うように形成された第２開口部とを備えると共に、前記複数の補強リブは、前記第２開口部を被う前記フィルタ部と対向して配置されたことを特徴とする。
【発明の効果】
【００１７】
請求項１の発明によれば、フィルタの強度を確保しつつ、フィルタ有効面積を増加可能にできる。つまり、本体部に複数の補強リブを形成したにも拘わらず、各補強リブはフィルタ部との間に間隙を有するため、フィルタ全体を湯水の通路とすることができ、局部的な異物の付着を防止することができる。また、フィルタ全体を湯水通路とするため、フィルタ部を通過する湯水の流速を低下でき、フィルタ部に対する異物の付着自体を減少できる。しかも、各補強リブとフィルタ部とが離間するため、両者に挟み込まれる異物の発生を防止できる。
【００１８】
請求項２の発明によれば、前記循環アダプタは操作部を有し、前記複数の補強リブは前記第２開口部を被う前記フィルタ部と対向して配置されるため、フィルタ部を大きく取れないフィルタであっても、フィルタ有効面積を確保できる。
【図面の簡単な説明】
【００１９】
【図１】実施例の風呂給湯システムの全体説明図である。
【図２】本実施例に係る循環アダプタの正面図である。
【図３】図２におけるIII−III線断面を示す図である。
【図４】図２におけるIV−IV線断面を示す図である。
【図５】図２におけるV−V線断面を示す図である。
【図６】本実施例に係る切替弁ケースの斜視図である。
【図７】本実施例に係る切替弁ケースの正面図である。
【図８】図８におけるVIII−VIII線断面を示す図である。
【図９】本実施例に係るガイド部材の斜視図である。
【図１０】本実施例に係るガイド部材の正面図である。
【図１１】図１０におけるXI−XI線断面を示す図である。
【図１２】本実施例に係るガイド部材の背面図である。
【図１３】本実施例に係るフィルタの正面図である。
【図１４】図１３におけるXIV−XIV線断面を示す図である。
【図１５】本実施例に係るフィルタの要部断面図である。
【図１６】本実施例に係るフィルタ本体部の斜視図である。
【図１７】本実施例に係るフィルタ本体部の正面図である。
【図１８】本実施例に係るフィルタ本体部の側面図である。
【図１９】本実施例に係るフィルタ部の斜視図である。
【図２０】本実施例に係るフィルタ部の正面図である。
【図２１】本実施例に係るフィルタ部の側面図である。
【図２２】気泡運転モードの説明図である。
【発明を実施するための形態】
【００２０】
以下、本発明を実施する為の最良の形態について実施例に基づいて説明する。
【実施例】
【００２１】
図１に示すように、実施例の風呂供給システムは、浴槽１、風呂給湯器２、循環回路３及び循環アダプタ４から構成される。風呂給湯器２はガス等の燃焼部と熱交換部とからなる給湯用の第１熱供給部５と風呂追焚用の第２熱供給部６と水や湯水を循環させるためのポンプ７とから構成され、夫々の機器はコントローラ８によって制御される。
【００２２】
また、コントローラ８は操作パネル９に電気的に接続されており、ユーザが操作パネル９上に設置されている運転モード毎に設けられた押し釦を押すことによって風呂の湯張指示や各種運転モード選択信号がコントローラ８に伝達され風呂給湯器２の作動が開始される。
【００２３】
給湯用である第１熱供給部５に関連する水や湯水の流通回路について説明する。導入路１０に導入された水が第１流量センサ１１を経て第１熱供給部５に供給された後、第１熱供給部５に加熱される。加熱された湯水は、排出路１２を通って浴槽１及びその他の給湯系装置に供給される経路となっている。
【００２４】
風呂追焚用である第２熱供給部６に関連する水や湯水の循環回路について説明する。循環回路３は復路１３と往路１４とから構成されている。ポンプ７の作動により循環アダプタ４から吸入された浴槽１の湯水は復路１３を経て第２熱供給部６で加熱されて往路１４を通り循環アダプタ４から浴槽１に供給される経路となっている。ポンプ７下流の復路１３には第２流量センサ１５が設けられ、安全上の観点から３．５Ｌ/分以上の湯水流量がなければ第２熱供給部６の加熱動作は行われない。尚、排出路１２と復路１３とは分岐排出路１６で接続されており、その連通は電磁弁１７により制御される。
【００２５】
次に、循環アダプタ４について図２〜図２１に基づいて説明する。
図２は循環アダプタ４の正面図、図３は図２のIII−III線断面図、図４は図２のIV−IV線断面図、図５は図２のV−V線断面図を示す。
【００２６】
循環アダプタ４は、浴槽１の外側に配設される第１筒状体１８と、浴槽１の内部側から浴槽壁に貫通状に配設されて第１筒状体１８に螺合される第２筒状体１９とを有している。第１、第２筒状体１８，１９は夫々第１フランジ部１８ａと第２フランジ部１９ａとを備えており、環状パッキン２０，２１により浴槽壁とフランジ部１８ａ，１９ａとのシール性を確保している。
【００２７】
第２筒状体１９の内周側には、第２フランジ部１９ａにボルト２２により固定される金属製の切替弁ケース２３が配設される。この切替弁ケース２３の表面には水平方向に開口する気泡噴流噴出口２４と吸込口２５とが設けられると共に、槽底方向に向かって後述する横穴状の追焚噴流噴出口２６が形成されている。循環アダプタ４の浴槽側表面部分には、第２フランジ部１９ａと切替弁ケース２３とを覆う形でメッシュ状のフィルタ２７が装着されている。
【００２８】
第１筒状体１８の端壁部２８には、吸入管２９と吐出管３０と吸気管３１の３つのポート部分が形成されており、吸入管２９は復路１３と、吐出管３０は往路１４とに夫々連結されている。吸気管３１は、フィルタ、オリフィス及び逆止弁等を備えた図示しない吸気ユニットと吸気パイプを介して接続されている。
【００２９】
図６〜図８に示すように、切替弁ケース２３は、浴槽側壁面に配置される円板状の第１切替弁部２３ａと、第１切替弁部２３ａの裏面に連続形成すると共に第１切替弁部２３ａより小径とされる筒状の第２切替弁部２３ｂとから構成する。尚、図８は、図７のVIII−VIII線断面図である。
【００３０】
第１切替弁部２３ａ表面には、凹設された第１吸込部８１と、テーパ状の気泡噴流噴出口２４と、第１凹部５１と、第１凹部５１よりも大径の第２凹部５２と、軸心に対して対称配置される一対のボルト穴２３ｃと、第１切替弁部２３ａの外周縁部に形成される３つの切欠部２３ｄ及び３つの楕円状開口とが形成される。
【００３１】
第１吸込部８１は、正面視で扇形状とされ、扇の要部分が吸込口２５に連続すると共に第１切替弁部２３ａの軸心から外周方向に向かって拡開するよう構成されている。第１切替弁部２３ａの内部には、後述する供給室３８の下流側端部に接続される直線状の追焚噴流噴出口２６が第１切替弁部２３ａの軸心から外周方向に向かって形成されている。
【００３２】
図３〜図５に示すように、第１切替弁部２３ａと同一軸心とされる第２切替弁部２３ｂは、第２筒状体１９の内周面に嵌合する外筒部３２と、外筒部３２と協働して複数の機能空間を形成する内筒部３３とを備える。つまり、外筒部３２と内筒部３３とによって切替弁ケース２３内部には、旋回室３４、吸込室３５、旋回予備室３７、供給室３８、吸入室３９の５つの機能空間が存在している。
【００３３】
旋回室３４は、Ｏリングを介在させて嵌装される金属製の吸気ノズル部４０、連通路開口４１から構成している。吸気ノズル部４０は、旋回室３４の軸心と同軸状に形成され且つ気泡噴流噴出口２４に向かって旋回室３４内部へ突出する柱状の突出部４２と、突出部４２の軸心先端に形成された吸気導入口４３と、突出部４２の基端部の回りに位置すると共に旋回室３４の軸心方向外側に向かって突形の半円形とされる円環状凹部４４とから構成している。吸気導入口４３は、吸気管３１と連通する吸気連通路４５と接続されている。
【００３４】
吸込室３５は浴槽側端部に吸込口２５を有している。旋回予備室３７は旋回室３４と並設され、両室は旋回室３４の内周面の接線方向に連通する連通路３６で接続されている。尚、連通路３６と旋回室３４との接続部分が連通路開口４１とされる。供給室３８は浴槽側端部で追焚噴流噴出口２６と連通している。吸入室３９は、旋回予備室３７と供給室３８とに対して反浴槽側に直列状に配置されている。また、旋回室３４、吸込室３５、旋回予備室３７、供給室３８、吸入室３９は何れも循環アダプタ４の軸心に対して平行となるよう配置されている。
【００３５】
この構成により、旋回予備室３７から供給される湯水が旋回室３４の内周形状に沿って高速旋回することになり、空気の吸引、気泡の微細化及び所定周波数の超音波の発生等に適した旋回回転数を得ることができる。
【００３６】
図４に示すように、切替弁ケース２３には、内筒部３３を貫通し、湯水の噴出口を気泡噴流噴出口２４と追焚噴流噴出口２６とに切替え制御する噴出口切替部材４７が設けられている。噴出口切替部材４７は、中央部分を内筒部３３に形成された受部４８によって摺動可能に支持される弁軸４９、弁軸４９の一端側である反浴槽側端部に装着される第１切替弁５０、第１切替弁５０と受部４８を挟んで他端側に設置された第２切替弁５３、第２切替弁５３よりも他端側である弁軸４９の浴槽側端部に固定された半球状の軸受け部材５４、バイアスバネ５５、形状記憶合金製バネ５６とから構成している。
【００３７】
次に、図９〜図１２に基づき、第１切替弁部２３ａの表面に装着されるガイド部材５９について説明する。図９はガイド部材５９の斜視図、図１０は正面図、図１１は図１０のXI−XI線断面図、図１２は背面図を示す。樹脂製のガイド部材５９は、フィルタ２７の内側で、且つ切替弁ケース２３の浴槽側端面、所謂循環アダプタ本体側壁部を構成しており、ボルト２２が切替弁ケース２３を貫通すると共に、第２筒状体１９に締結されている。
【００３８】
ガイド部材５９は、気泡噴流噴出口２４の外周に設けられる第１噴流開口６０ａ、第１噴流開口６０ａから浴槽側に向かって拡開する断面テーパ状に形成された正面視円環状のテーパ部６０ｂ、テーパ部６０ｂの一部下方領域に沿って形成される円弧状溝部６１、テーパ部６０ｂ上方位置に形成され、後述する噴流ガイド部材６２と係合可能な第１係合穴６３、円弧状溝部６１下方位置に形成され、噴流ガイド部材６２と係合可能な第２係合穴６４から構成している。
【００３９】
更に、ガイド部材５９は、後述する摺動部材６５と右側端部位置で係合可能な第１突起部６６、摺動部材６５と左側端部位置で係合可能な第２突起部６７、ガイド部材５９の裏面に形成され第１吸込部８１の浴槽側端部の隔壁を形成する第２吸込部８２、第２吸込部８２の半径方向外周側に設けられる円弧状の開口を形成する吸込端部８３、吸込端部８３を６つの小開口に分割する格子状の桟部８３ａ、ボルト穴２３ｃに対応して浴槽側に向かって凸設されると共に軸心に対して対称配置される一対のボルトボス部５９ａ、ガイド部材５９の外周縁部に形成される３つの切欠部５９ｂと３つの楕円状開口とから構成される。
【００４０】
前述の構成により、吸込口２５を有する吸込室３５は、循環アダプタ４の軸心に対して平行配置とされ、吸込端部８３は、循環アダプタ４の軸心に対して吸込口２５よりも更に外周方向にオフセットして配置されている。また、切欠部５９ｂと切欠部２３ｄとは、組付けの際、切欠形状が一致するよう位置決めされるよう構成している。更に、フィルタ２７を取外した場合でも、格子状の桟部８３ａによって吸込口２５への指詰め等を防止できる。
【００４１】
円弧状溝部６１は、反浴槽側に弁軸４９と直交する、つまり、アダプタ本体側壁部に略平行な底面６８と上壁６９と下壁７０と側壁７１，７２からなる断面略コ字状をなす凹所を有しており、この凹所内を底辺６８と上壁６９と下壁７０とにガイドされる断面矩形の摺動部材６５が摺動移動可能に収容されている。円弧状溝部６１の底面６８の略中央部分には、弁軸４５の他端側部分を支持すると共に、弁軸４９を軸方向摺動自在に貫通させる貫通口６１ａが形成されている。
【００４２】
図４に示すように、摺動部材６５は、この摺動部材６５を左右方向移動自在に弁軸４９の他端側部分を貫通させる略円弧状に形成された円弧状貫通口７９と、この円弧状貫通口７９の周囲に形成され、軸受け部材５４に摺接可能で且つ弁軸４９と直交する面、所謂底面６８に対して傾斜すると共に、断面半円状で軸受け部材５４に接触する傾斜部７３と、摺動部材６５左側端部に浴槽側に向かって延設された操作部７４とから構成する。
【００４３】
傾斜部７３は、浴槽側に対する底面６８からの高さが、右側に向かう程高くなるように構成している。つまり、操作部７４を右側端部位置に手動操作すると、摺動部材６５が円弧状溝部６１内を右側に摺動移動し、バイアスバネ５５が形状記憶合金製バネ５６の張力よりも強い場合、傾斜部７３に摺接する軸受け部材５４は傾斜部７３に沿って反浴槽側に移動する。
【００４４】
一方、操作部７４を左側端部位置に手動操作すると、摺動部材６５が円弧状溝部６１内を左側に摺動移動し、バイアスバネ５５が形状記憶合金製バネ５６の張力よりも強い場合、傾斜部７３に摺接する軸受け部材５４は傾斜部７３に沿って浴槽側に移動する。
【００４５】
従って、軸受け部材５４が傾斜部７３に摺接している場合、傾斜部７３の浴槽側に対する底面６８からの高さは、図３〜図５に示すように、操作部７４を右側端部位置に手動操作したとき、弁軸４９を第２切替弁５３が閉弁し第１切替弁５０が開弁する第１位置になり、操作部７４を左側端部位置に手動操作したとき、弁軸４９を第２切替弁５３が開弁し第１切替弁５０が閉弁する第２位置になるように設定されている。
【００４６】
また、操作部７４を右側端部位置に手動操作した場合であっても、湯水温度が高温になると、形状記憶合金製バネ５６が温度変化に感応して伸張し、バイアスバネ５５が圧縮されるため、軸受け部材５４が傾斜部７３から離れ、浴槽側に摺動移動し、弁軸４９を第２切替弁５３が開弁し第１切替弁５０が閉弁する第２位置になるように構成されている。
【００４７】
操作部７４のアダプタ本体側底面には、第１突起部６６及び第２突起部６７と係合可能な図示しない凹部が形成されており、操作部７４が右側端部位置或いは左側端部位置に手動操作された場合、第１突起部６６或いは第２突起部６７と係合し、摺動部材６５を位置決め可能で且つユーザに適度な節度感を与えるように構成している。
【００４８】
図２〜図５に示すように、円形状の噴流ガイド部材６２は、循環アダプタ４の軸心と同軸状とされ、第１噴流開口６０ａと同径の第２噴流開口７５と、三日月状の操作開口７６と、第１係合穴６３に係合する第１係合部７７と、第２係合穴６４に係合する第２係合部７８とにより構成する。
【００４９】
第２噴流開口７５は、気泡噴流噴出口２４からの軌道に沿った気泡噴流を略直線状に通過可能としており、第２噴流開口７５の外周部分は、気泡噴流の外周部、所謂軌道を外れた噴流を遮断するよう構成している。
【００５０】
また、噴流ガイド部材６２の外縁側部は、第１係合部７７と第２係合部７８とによってガイド部材５９に連結されている。また、噴流ガイド部材６２の外縁側部において、ガイド部材５９と噴流ガイド部材６２との間に一部分離間空間が形成されており、前記操作開口７６及び外縁側部の離間空間により、気泡運転モードの際、噴流ガイド部材６２の外側から気泡噴流噴出口２４に湯水の流れを還流させることができる。
【００５１】
図１３〜図２１に示すように、フィルタ２７は、円環状のフィルタ本体部８４（本体部）、フィルタ本体部８４の外縁に配置されるステンレス製メッシュからなるメッシュ部８５（フィルタ部）とから構成している。尚、図１３はフィルタ２７の正面図、図１４は図１３のXIV−XIV線断面図、図１５はフィルタ２７の要部断面図、図１６〜図１８は夫々フィルタ本体部８４の斜視図、正面図、側面図、図１９〜図２１は夫々メッシュ部８５の斜視図、正面図、側面図を示す。
【００５２】
図１６〜図１８に示すように、樹脂製のフィルタ本体部８４は、内周部分で円状の中央開口部８６（第１開口部）を形成する内環部８７、内環部８７の外周に配置される筒状の外筒部８８、内環部８７と外筒部８８とを連結すると共にフィルタ２７の軸心に対して放射状に形成される複数の第１リブ部８９（補強リブ）、内環部８７と外筒部８８との間を所定領域被う減速部９０とから構成している。
【００５３】
図１５に示すように、内環部８７は、内環部８７の後方側裏面を形成する内環裏面部８７ａ、内環部８７の先端部分を形成する内環先端部８７ｂ、内環先端部８７ｂ外周の軸心方向後方側に形成された内環段部８７ｃ、開口部８６内縁部で且つ内環裏面部８７ａに凸設される第２リブ部８７ｄとから構成している。第２リブ部８７ｄは、ボルトボス部５９ａの表面と当接するよう構成している。
【００５４】
外筒部８８は、内周面に設けられる凸状の係合部８８ａ、外周側面に設けられる断面クサビ状の突起部８８ｂ、追焚用噴口８８ｅとを有し、軸心方向先端部は内環段部８７ｃの表面と同一位置となるよう構成している。係合部８８ａは、前述した切欠部２３ｄ，５９ｂと係合することでフィルタ２７を切替弁ケース２３に装着可能に構成している。また、フィルタ２７を切替弁ケース２３に装着したとき、追焚噴流噴出口２６の開口と追焚用噴口８８ｅとが対向するよう構成している。
【００５５】
第１リブ部８９は、内環部８７と外筒部８８とによって囲まれる円環開口部９１（第２開口部）内に複数設置している。第１リブ部８９の配置位置は、軸心方向で内環段部８７ｃよりも後方側で且つ内環裏面部８７ａよりも前方側とされる。つまり、第１リブ部８９の前面と内環段部８７ｃとの間には間隙が形成されるよう構成している。
【００５６】
減速部９０は、第１リブ部８９と同様に、円環開口部９１内に設置され、複数の連通可能な孔を備えた円弧状板材で構成している。減速部９０は、フィルタ２７を切替弁ケース２３に装着したとき、吸込端部８３と対向する位置に形成されている。尚、減速部９０の孔はメッシュ部８５のメッシュ孔よりも大とされている。
【００５７】
図１９〜図２１に示すように、メッシュ部８５は、湯水が通過可能なメッシュ状の正面部８５ａと、正面部８５ａ上にメッシュ部分を横切るように放射状に形成する複数のメッシュ桟部８５ｂ、メッシュ部８５の側部を形成する円筒状の外周部８５ｃ、突起部８８ｂと係合可能な取付部８５ｄ、外周部８５ｃの後側端部に設けられ追焚用噴口８８ｅの形状に切欠いた追焚用切欠部８５ｅから構成する。
【００５８】
本実施例のメッシュ部８５は、例えば、厚さ０．６ｍｍのステンレス板材をプレス加工により、一端が閉塞された円筒体をプレス形成する。この円筒体の一端面にエッチング加工を施し、微小孔を有するメッシュとメッシュ桟部８５ｂとを備えた正面部８５ａを形成している。
【００５９】
正面部８５ａは、内周部裏面を内環段部８７ｃの表面に当接すると共に、外周部裏面を外筒部８８の軸心方向先端部表面に当接するよう構成している。つまり、第１リブ部８９の前面と正面部８５ａの裏面との間には間隙が形成されている。しかも、正面部８５ａの内周端部は、内環先端部８７ｂの側面に当接させることで、加工で生じる切断部が表面に露出するのを防止している。
【００６０】
次に、各運転モードについて説明する。
循環アダプタ４は、注湯運転モード、追焚運転モード、気泡運転モードの３つの運転モードが実行可能である。尚、ユーザは、操作パネル９上の押し釦で何れかの運転モードを選択可能になっている。
【００６１】
（注湯運転モード）  
操作部７４をノーマル位置（図２参照）に操作し、操作パネル９で注湯運転モードを選択すると、水が導入管１０に導入される。第１熱供給部５に移動した水は加熱された後、排出管１２に進行する。この時、コントローラ８の指示により、電磁弁１７が開作動して湯は分岐排出管１６を経由して復路１３に導かれて一部の湯水は復路１３から循環アダプタ４へ導入され、吸込口２５から吐出する。
【００６２】
吸込口２５から吐出した湯水は、第１吸込部８１と第２吸込部８２とから構成される扇状空間の移動により第１の減速が行われる。吸込端部８３を通過した湯水は、格子状の桟部８３ａにより第２の減速が行われる。更に、減速部９０が湯水の進行を妨げるため、第３の減速が行われる。これにより、勢いを減衰した湯水を浴槽１に対して供給することが可能となる。尚、吸込口２５から湯水が供給されるのは注湯運転モードの時のみである。
【００６３】
一方、残りの湯水は往路１４を通り吸入室３９に導入される。吸入室３９に導入された湯水は、第１切替弁５０が旋回予備室３７への経路を遮断すると共に第２切替弁５３が開作動しているため、供給室３８、第１凹部５１及び第２凹部５２を経由した後、浴槽下向きの追焚噴流噴出口２６に送られる。以上により浴槽への注湯が行われる。
【００６４】
（気泡運転モード）
図２２に示すように、操作部７４をバブル位置（図２参照）に操作し、操作パネル９上で気泡運転モードを選択すると、コントローラ８がポンプ７を作動する。フィルタ２７を通過した湯水は、吸込口２５から吸込室３５を経て復路１３に導入する。この時、第２熱供給部６は作動しておらず、復路１３に導入された温度のまま湯水は循環し往路１４を通り吸入室３９に導入される。
【００６５】
内環部８７と外筒部８８との間に複数の第１リブ部８９を設けたため、フィルタ２７の強度を確保している。また、第１リブ部８９の前面と正面部８５ａの裏面との間に間隙を形成するため、湯水の通過可能な正面部８５ａの有効面積を拡大できることから、吸込口２５に向かう湯水の流速を低減でき、正面部８５ａに付着する異物を低減できる。また、従来品のように正面部８５ａと第１リブ部８９との間に毛髪が挟まることを防止でき、フィルタ２７の清掃性が向上する。
【００６６】
吸入室３９から旋回予備室３７に入った湯水は連通路３６を通り連通路開口４１から旋回室３４に導入される。連通路３６は旋回室３４の接線方向に接続されているため、湯水は旋回室３４の長手方向の中心軸を中心に高速旋回を行い、所定の負圧が旋回室３４内に発生する。この負圧により吸引された空気は吸気連通路４５から旋回室３４の中央部分に吸引され、湯水と混合され、気泡混合湯水が旋回しながら水平方向に開口する気泡噴流噴出口２４から噴出される。
【００６７】
特に、吸込口２５を流れる湯水流速に比べて流速の遅い湯水が、第１、第２吸込部８１，８２で形成される吸込部のうち、流路面積が最大となる吸込端部８３に対向する正面部８５ａの領域を通過するため、メッシュ部８５への異物の集中付着を防止できる。しかも、扇形状とされる第１、第２吸込部８１，８２の扇形状の要部分に吸込口２５を配置し、円弧部分に吸込端部８３を配置したため、湯水流路形状を軸心方向から見てクランク形状とすることができ、流速を効果的に低下できる。
【００６８】
更に、第２リブ部８７ｄを設けたため、正面部８５ａと吸込端部８３との間隔を均一にでき、異物の集中付着を防止すると共に、正面部８５ａと吸込端部８３との距離を離間できるため、一層流速低下を図ることができる。
【００６９】
（追焚運転モード）
操作部７４をノーマル位置（図２参照）に操作し、操作パネル９上で追焚運転モードを選択すると、コントローラ８の指示によりポンプ７及び第２熱供給部６が作動を開始し、浴槽内の湯水を吸込口２５から復路１３に導入する。第２熱供給部６により加熱された湯水は往路１４を通り吸入室３９に導入される。吸入室３９以降の経路は注湯運転モードと同様である。
【００７０】
（安全装置機能）  
最後に、安全装置機能について説明する。操作部７４をバブル位置に操作し、操作パネル９上で追焚運転モードを選択すると、コントローラ８の指示によりポンプ７及び第２熱供給部６が作動を開始し、浴槽内の湯水を吸込口２５から復路１３に導入する。第２熱供給部６により加熱された湯水は往路１４を通り吸入室３９に導入される。
【００７１】
当初、軸受け部材４８が傾斜部７３に摺接しているため、弁軸４９を第２切替弁５３が閉弁し第１切替弁５０が開弁する第１位置となっているが、形状記憶合金製バネ５６が伸張して弁軸４９を第２位置、所謂軸受け部材５４と傾斜部７３とが離間する状態に切替え、高温の湯水を追焚噴流噴出口２６に誘導する。
【００７２】
次に、前記実施例を部分的に変更した変形例について説明する。
１〕前記実施例においては、３つの運転モードを実現可能な循環アダプタに装着するフィルタの例について説明したが、少なくとも、浴槽の湯水を吸い込む吸込口を備える循環アダプタであれば、本発明のフィルタ構造を適用できる。
【００７３】
２〕その他、当業者であれば、本発明の趣旨を逸脱することなく、前記実施例に種々の変更を付加した形態で実施可能であり、本発明はそのような変更形態も包含するものである。
【産業上の利用可能性】
【００７４】
本発明は、浴槽に湯水を供給するために浴槽に取付けて使用される循環アダプタのフィルタ全般に利用することができ、特に、フィルタ有効面積の増加が要求されるフィルタ構造に好適である。
【符号の説明】
【００７５】
１      浴槽
４      循環アダプタ
２５    吸込口
２７    フィルタ
７４    操作部
８３    吸込端部
８４    フィルタ本体部（本体部）
８５    メッシュ部（フィルタ部）
８５ａ  正面部
８６    中央開口部
８７    内環部
８８    外筒部
８９    第１リブ部
９１    円環開口部  
【図１】
2010207677.tif 000003
【図２】
2010207677.tif 000004
【図３】
2010207677.tif 000005
【図４】
2010207677.tif 000006
【図５】
2010207677.tif 000007
【図６】
2010207677.tif 000008
【図７】
2010207677.tif 000009
【図８】
2010207677.tif 000010
【図９】
2010207677.tif 000011
【図１０】
2010207677.tif 000012
【図１１】
2010207677.tif 000013
【図１２】
2010207677.tif 000014
【図１３】
2010207677.tif 000015
【図１４】
2010207677.tif 000016
【図１５】
2010207677.tif 000017
【図１６】
2010207677.tif 000018
【図１７】
2010207677.tif 000019
【図１８】
2010207677.tif 000020
【図１９】
2010207677.tif 000021
【図２０】
2010207677.tif 000022
【図２１】
2010207677.tif 000023
【図２２】
2010207677.tif 000024